(57)【要約】      （修正有）【課題】警報ブザーのＯＮ・ＯＦＦ操作性が良く、定期的に点検を促す防犯ブザーを提供する。【解決手段】正面ケース１と、背面ケース２をネジ止めにより組み合わせている。背面には電源３である電池が収納され、開閉可能な電池蓋１０が配置されている。内部には電源３により駆動する回路４が配置されており、その回路４が駆動する事で、作動する警報ブザー５と発光体１１が設けられている。また、上部には、回路４を駆動させる為に、プルスイッチ６と、プルスイッチを支持するチェーン７が配置されている。正面には、発光体１１により発光し、定期点検を促す定期点検表示部８が設けられ、下部には、防犯ブザーを引張る為に、ヒモ９が設けられた構成になっており、製品として防水構造となっている。【選択図】図１
0003209373.tif 000002
【実用新案登録請求の範囲】
【請求項１】
外装ケースと外装ケースに収納された電源と、その電源により駆動する回路と、回路が駆動すると作動する警報ブザーと、引張り力が予め設定された所定の引張り閾値を超えた時ＯＮし、引張り力が予め設定された所定の閾値より下がるとＯＦＦするプルスイッチ構造を有する事を特長とする防犯ブザー。
【請求項２】
請求範囲１に記載の防犯ブザーにおいて、引張り力が予め設定された所定の引張り閾値を超えた事でＯＮする回数が１回では回路は駆動せず、定められた時間Ａ内に複数回ＯＮさせる事で回路が駆動し警報ブザーが作動する。回路が駆動後、引張り力が予め設定された所定の引張り閾値を超えてＯＮしている状態を、定められた時間Ｂ以上に保持させる事で、回路と警報ブザーを停止させる事が出来る事を特長とした防犯ブザー。
【請求項３】
外装ケースと、外装ケースに収納された電源と、その電源により駆動する回路と、回路が駆動すると、作動する警報ブザーを有する防犯ブザーにおいて、定められた時間Ｃ以上に回路を駆動させなかった場合、防犯ブザーの点検を促す事を目的として、光・音・振動・文字などの表現より定められた時間Ｃを超えている事を通知する機能を有する事を特長とした防犯ブザー。
【考案の詳細な説明】
【技術分野】
【０００１】  本考案は、危険を察知した時に大音量などにより、周りの人に知らせる防犯ブザーにおいて、警報ブザーのＯＮ・ＯＦＦ方法、並びに、定期的に点検を促す方法に関するものである。
【背景技術】
【０００２】  近年の防犯ブザーは、ランドセル等に取付け、ピンを引き抜く、又は、ボタンを押して警報ブザーをＯＮさせ、ＯＦＦするには、抜いたピンを差し込む、又は、ボタンを離すか、又は、再度押してＯＦＦさせる物が主流になっている。また、長期間での放置による故障や、電池切れによりいざ使用する時動作しない問題に対し、使用者（主に児童）に定期的な点検をするよう呼びかけている。
【先行技術文献】
【０００３】実用新案登録第３１１９５８９号
【考案の概要】
【考案が解決しようとする課題】
【０００４】  しかしながら、ピンを引き抜く方式は、誤って引き抜いてしまう事もあり、ボタンの場合は、慌てている際押しにくく、ＯＦＦに至っては、抜いたピンの紛失でＯＦＦ出来なかったり、犯罪者により簡単にピンを戻されてＯＦＦし、警報ブザーを停止されてしまうなどの問題がある。
また、定期的な点検の実施も呼びかけだけでは効果が無いのが現状である。
そこで、本考案の技術的課題は、より操作性の良いＯＮ・ＯＦＦ方法と定期的な点検を促す効果的な方法を有する防犯ブザーを提供する。
【課題を解決するための手段】
【０００５】  外装ケースと、外装ケースに収納された電源とその電源により駆動する回路と、回路が駆動すると作動する警報ブザーと引張り力が予め設定された所定の引張り閾値を超えた時ＯＮし、引張り力が予め設定された所定の閾値より下がるとＯＦＦするプルスイッチ構造を有する事を特長とする防犯ブザーにおいて、引張り力が、予め設定された所定の引張り閾値を超えた事でＯＮする回数が、１回では回路は駆動せず、定められた時間Ａ内に複数回ＯＮさせる事で回路が駆動し警報ブザーが作動する。回路が駆動後、引張り力が予め設定された所定の引張り閾値を超えてＯＮしている状態を、定められた時間Ｂ以上に保持させる事で、回路と警報ブザーを停止する事が出来る事を特長とする。【０００６】  外装ケースと外装ケースに収納された電源と、その電源により駆動する回路と、回路が駆動すると作動する警報ブザーを有する防犯ブザーにおいて、定められた時間Ｃ以上に回路を駆動させなかった場合、防犯ブザーの点検を促す事を目的として、光・音・振動・文字などの表現により定められた時間Ｃを超えている事を通知する機能を有し、光・音・振動・文字などの表現により通知がされた以降、回路を駆動させる事で、その通知を停止することが出来る事を特長とする。
【考案の効果】
【０００７】  上記考案により警報ブザーの作動機能において、プルスイッチの引張り力が予め設定された所定の引張り閾値を超えた事で、ＯＮする回数が定められた時間例えば０．５秒内に複数回ＯＮさせなければ、回路は駆動せず警報ブザーが作動しない事により、誤動作しにくい、尚且つ、操作性が良い機構となり、警報ブザーの停止についてもプルスイッチの引張り力が、予め設定された所定の引張り閾値を超えてＯＮしている状態を定められた時間、例えば３秒以上保持させなければ回路を停止しない事により、ピンを抜く機構と違いピンを紛失する事もなく、犯罪者が簡単に警報ブザーを止める事が出来なくなる。【０００８】  防犯ザーを定められた時間、例えば７２０時間（３０日）以上に回路を駆動させなかった場合、光・音・振動・文字などの表現により定められた時間、例えば７２０時間（３０日）を超えている事を通知する事で点検を促し、点検をする事で長期間での放置による故障や電池切れなどの異常を発見する事が出来、いざ使用する時、動作しない問題の対策となり、並びに、定期的な使用方法の訓練にもなるので、犯罪者に襲われた時にも慌てず操作する事が出来る。
【図面の簡単な説明】
【０００９】
【図１】本発明に係る実施の形態の防犯ブザーの外観図である。
【図２】本発明に係る実施の形態の防犯ブザーのプルスイッチがＯＮ・ＯＦＦする状態を説明する図である。
【図３】本発明に係る実施の形態の防犯ブザーのプルスッチのＯＮによる警報ブーの作動と停止の説明を示すタイムチャートである。
【図４】本発明に係る実施の形態の防犯ブザーの定期点検を促す機能の説明を示すタイムチャートである。
【符号の説明】
【００１０】  １．正面ケース
２．背面ケース
３．電源
４．回路
５．警報ブザー
６．プルスイッチ
７．チェーン
８．定期点検表示部
９．ヒモ
１０．電池蓋
１１．発光体
１２．定められた時間Ａ
１３．定められた時間Ｂ
１４．定められた時間Ｃ
【考案を実施するための形態】
【００１１】  以下に、図面を用いて本発明に係る実施の形態につき、詳細に説明する。
図１は、防犯ブザーの外観図で正面ケース１と、背面ケース２をネジ止めにより、組み合わせている。背面には、電源３である電池が、収納され開閉可能な電池蓋１０が配置されている。内部には電源３により駆動する回路４が配置されており、その回路４が駆動する事で、作動する警報ブザー５と発光体１１が設けられている。
また上部には、回路４を駆動させる為にプルスイッチ６と、プルスイッチを点検を促す定期支持するチェーン７が、配置されている。正面には発光体１１により発光し定期点検表示部８が設けられ、下部には防犯ブザーを引張る為にヒモ９が設けられた構成になっており、製品として防水構造となっている。
【００１２】  次に、図２のプルスイッチ６におけるＯＮとＯＦＦ状態について説明する。
防犯ブザーの上部に配置されたプルスイッチ６は、支持するチェーン７をランドセルや鞄等に取付た状態で、正面ケース１と背面ケース２で構成された防犯ブザー本体、又は、下部に設けられたヒモ９を引張り、その引張り力Ｗが、ルスイッチ６の予め設定された所定の引張り閾値（例えば防犯ブザーの自重を超える値）を超えた時プルスイッチ６が動作しＯＮ状態となり、防犯ブザー本体、又は、下部に設けられたヒモ９を引張る引張り力Ｗが、予め設定された所定の閾値より下がるとプルスイッチ６が復帰し、ＯＦＦ状態となる構成となっている。
【００１３】  次に、図３の警報ブザー５の作動と停止について▲１▼〜▲４▼の説明をする。
▲１▼については、防犯ブザー本体、又は、下部に設けられたヒモ９を引張り、その引張り力Ｗがプルスイッチ６の予め設定された所定の引張り閾値（例えば防犯ブザーの自重を超える値）を超えた時、プルスイッチ６が動作し、ＯＮとなる回数が定められた時間Ａ１２（例えば０．５秒）内に、１回では回路４が駆動せず警報ブザー５は作動しない。▲２▼については、定められた時間Ａ１２（例えば０．５秒）内に複数回ＯＮとなる事で、回路４が駆動し警報ブザー５が作動する。▲３▼、▲４▼については、警報ブザー５が作動後、防犯ブザー本体、又は、下部に設けられたヒモ９を引張る引張り力Ｗが予め設定された所定の引張り閾値を超えてＯＮしている状態が、定められた時間Ｂ１３（例えば３秒）以上保持しない時、警報ブザー５は、停止せず、定められた時間Ｂ１３（例えば３秒）以上保持する時は、警報ブザー５を停止する事が出来る構成になっている。
【００１４】  次に、図４の防犯ブザーの点検を促す表示について説明する。
警報ブザー５が停止した状態が、定められた時間Ｃ１４（例えば７２０時間）以上に回路を駆動させなかった場合、防犯ブザーの点検を促す事を目的として、発光体１１により防犯ブザー表面に設置された定期点検表示部８が点滅、又は、点灯し定められた時間Ｃ１４（例えば７２０時間）を超えている事を通知する。定期点検表示部８が点滅、又は、点灯を消灯させるには、プルスイッチ６の操作により回路４が駆動し、警報ブザー５を作動させる事で消灯する。これにより防犯ブザーを定期的に点検する事が出来、尚且つ、防犯ブザーの操作方法の定期的訓練にもなる構成になっている。また、定期点検表示部８による表示方法は、光だけでなく音・振動・ディスプレーによる文字などの視覚、感覚的な表現でもよい。
【産業上の利用可能性】
【００１５】  本発明の防犯ブザーは、プルスイッチ機構の操作のみで、警報ブザーの作動・停止が行えるシンプルな操作方法で、従来の防犯ブザーの様に挿入ピンの抜き差しで操作する事で、誤って警報ブザーを鳴らしてしまったり、挿入ピンを無くしてしまいＯＦＦ出来なくなったり、犯罪者により操作ピンを戻され、簡単にＯＦＦされてしまう事の問題改善に対して有効である。
また、防犯ブザーを長期にわたって使用し無い事による電池切れや故障などいざ使う時に動作しない事が問題になっており、使用する児童に対し定期点検を呼びかけているが、効果が薄い。その問題についても、防犯ブザーを一定期間使用しない場合、防犯ブザー自身で定期点検を促す表示をする事で、使用する児童並びに関係者に対し、定期点検を実施する効果が有効である。
【図１】
0003209373.tif 000003
【図２】
0003209373.tif 000004
【図３】
0003209373.tif 000005
【図４】
0003209373.tif 000006
【手続補正書】
【提出日】平成28年10月28日(2016.10.28)
【手続補正１】
【補正対象書類名】実用新案登録請求の範囲
【補正対象項目名】全文
【補正方法】変更
【補正の内容】
【実用新案登録請求の範囲】
【請求項１】
外装ケースと外装ケースに収納された電源と、その電源により駆動する回路と、回路が駆動すると作動する警報ブザーと、引張り力が予め設定された所定の引張り閾値を超えた時ＯＮし、引張り力が予め設定された所定の閾値より下がるとＯＦＦするプルスイッチ構造を有する事を特長とする防犯ブザー。
【請求項２】
請求項１に記載の防犯ブザーにおいて、引張り力が予め設定された所定の引張り閾値を超えた事でＯＮする回数が１回では回路は駆動せず、定められた時間Ａ内に複数回ＯＮさせる事で回路が駆動し警報ブザーが作動し、また、回路が駆動後、引張り力が予め設定された所定の引張り閾値を超えてＯＮしている状態を、定められた時間Ｂ以上に保持させる事で、回路と警報ブザーを停止させる事が出来る事を特長とした防犯ブザー。
【請求項３】
外装ケースと、外装ケースに収納された電源と、その電源により駆動する回路と、回路が駆動すると、作動する警報ブザーを有する防犯ブザーにおいて、定められた時間Ｃ以上に回路を駆動させなかった場合、防犯ブザーの点検を促す事を目的として、光・音・振動・文字の表現より定められた時間Ｃを超えている事を通知する機能を有する事を特長とした防犯ブザー。